(57)【要約】 【課題】  雪止め部材の底面部と屋根面との間隔を保持し、空気の流通を促進するとともに雨水の蓄まりを排除し、スギコケなどの発生繁茂を防止することを目的とするとともに、作業員が当該屋根の形態を目視した上で、屋根の軒先箇所に的確に雪止め部材を取付ける装置を提供する。 【解決手段】  全体が側面視三角形状に成る雪止め部材１を構成する多数の三角線材に対して、適当間隔をおいて、垂直線部２間には縦水平線材１０・・を，水平線部３・間には横水平線材９・を，傾斜線部４・間には傾水平線材１１・をそれぞれ架設し、このように成る雪止め部材の左右両端部及び中間部に定置板６，６、７を設けるとともにこの各定置板に凸形状に成る間隔材８，８，８、を設け、前記各定置板からは外方に向かって曲折した支止部１２，１２，１２を突設し、この各支止部に調整板１３，１３を懸架し、この調整板に取付具１４，１４を移動し得るように設置して成る。【選択図】    図１
2015209750.tif 000002
【特許請求の範囲】
【請求項１】
全体が側面視三角形状に成る雪止め部材を構成する多数の三角線材に対して、適当間隔をおいて、垂直線部間には縦水平線材を，水平線部間には横水平線材を，傾斜線部間には傾水平線材をそれぞれ架設し、このように成る雪止め部材の左右両端部及び中間部には定置板を設けるとともに、この各定置板に凸形状に成る間隔材を設け、前記各定置板からは外方に向かって曲折した支止部を突設し、この各支止部に調整板を懸架し、この調整板に取付具を移動し得るように設置して成ることを特徴とする屋根用雪止め装置。
【発明の詳細な説明】
【技術分野】
【０００１】
本発明は、屋根用雪止め装置に関するものである。
【背景技術】
【０００２】
従来、線材を曲折加工して編成する屋根用の雪止め装置としては、次に例示するようなものが公知となっているが、屋根の形態などに合わせて取付け施工することができるものではなかったし、また雪止め部材の底面部と屋根面とが密接状態で空気の流通がなく雨水が溜まり易いことから、屋根面内部への洩水やスギコケの繁茂などが起こっていた。
【先行技術文献】
【特許文献】
【０００３】
【特許文献１】特開２００６−２０７２３４号公報（特許第４６７６７７３号）
【特許文献２】特開２００８−２９１５３２号公報
【特許文献３】特開２０１０−１６０６号公報
【特許文献４】特開２０１３−９６０５６号公報
【発明の概要】
【発明が解決しようとする課題】
【０００４】
そこで、本発明は、前記のような雪止め装置の欠点を改良し、雪止め部材の底面部と屋根面との間隔を保持し、空気の流通を促進するとともに雨水の蓄まりを排除し、屋根面から家屋内への洩水を未然に防止するとともにスギコケなどの発生繁茂を防止することを目的とするとともに作業員が当該屋根の形態を目視した上で、屋根の軒先箇所に的確に雪止め部材を取付けることができる装置を提供することを目的とするものである。
【課題を解決するための手段】
【０００５】
本発明は、全体が側面視三角形状に成る雪止め部材を構成する多数の三角線材に対して、適当間隔をおいて、垂直線部間には縦水平線材を，水平線部間には横水平線材を，傾斜線部間には傾水平線材をそれぞれ架設し、このように成る雪止め部材の左右両端部及び中間部には定置板を設けるとともに、この各定置板に凸形状に成る間隔材を設け、前記各定置板からは外方に向かって曲折した支止部を突設し、この各支止部に調整板を懸架し、この調整板に取付具を移動し得るように設置して成るものである。
【発明の効果】
【０００６】
第１に、多数の三角線材を間隔をおいて構成する雪止め部材は縦横斜めの線材によってます目部分が矩形状に形成されているから、特に積雪量の多い傾斜面部分における積雪の溶解現象を促進することができる。
【０００７】
即ち、特に積雪量の多い傾斜面部分における三角線材の組み合わせ態様が、縦横の長さの異なる矩形状に成ることから、積雪の溶解が促進されることになるのである。
【０００８】
第２に、前記三角線材の底面部に当たる左右両側定板上に、側面凸形状の間隔材を設置することによって空気の円滑な流通を図ることができるから、各線材間の積雪の溶解を促進することができるようになるし、雨水のたまり現象も起こらない。
【０００９】
第３に、以上のような構成の雪止め部材の後端部間に架設した調整板上の適所に、雪止め部材の取付具を設置するようにする。
【図面の簡単な説明】
【００１０】
【図１】全体の斜視図
【図２】図１の側面図
【図３】作用状態を示す側面図
【発明を実施するための形態】
【００１１】
全体が側面視三角形状に成る雪止め部材においては、垂直線部と水平線部と傾斜線部から成る三角線材を等間隔に組合わせて構成するものであるところ、これら三角線材による各ます目部分は、水平線部分が垂直線部分や傾斜線部分に対して長い矩形状に成るものである。
【００１２】
また、前記雪止め部材と一体に成る左右両側部及び中間部の定置部材から外方に突設した支止部間に架設した長尺の調整板の適所には、雪止め部材の取付具が設置しているが、この雪止め部材の屋根面における取付け位置は、作業員が屋根全体の形態を見て決定することになる。
【実施例１】
【００１３】
１は全体が側面視三角形状の垂直部と底面部と傾斜面部の線材から成る雪止め部材で、この部材全体の各部は次のような三方向への三角線材の組合せから成り、垂直線部２と水平線部３・・と傾斜線部４・・は、それぞれ等間隔に立設する。
【００１４】
前記各三角線材においては、垂直線部２・・間には上中下側に縦水平線材９・・を架設し、水平線部３・・間には横水平線材１０・・を架設し、傾斜線部４・・間には傾水平線材１１・・を架設する。
【００１５】
前記雪止め部材１を構成する各三角線材による縦横斜めにおける各ます目部分５・・を見ると、それぞれ横線材部が長く縦及び斜めの各線材部が短い矩形状に構成されていることを特徴とする。
【００１６】
６，６は前記雪止め部材１が載置する左右両側端部に設けた定置板で、この左右両部の中間部にも中定置板７を設け、この３つの定置板の各後端部には後記支止部１２，１２，１２を形成する。
【００１７】
８，８，８は前記定置板６，６，６上にそれぞれ設置した凸形状に成る間隔材で、この間隔材間には前記三角線材の各水平線部３・・に固着した横水平線材９・・が架設する。
【００１８】
１２，１２，１２は前記定置板６，６，６から外方へ曲折して突設した支止部で、この支止部間には長尺の調整板１３，１３を懸架する。
【００１９】
１４，１４は前記調整板１３，１３に掛止部１５，１５を介して左右適位置に移動調整して固定する取付具である。
【符号の説明】
【００２０】
１                            雪止め部材
２                            垂直線部
３・・                        水平線部
４・・                        傾斜線部
５・・                        ます目部分
６，６                        定置板
７                            中定置板
８，８，８                    間隔材
９・・                        横水平線材
１０・・                      縦水平線材
１１・・                      傾水平線材
１２，１２，１２              各定置板６，６，７の支止部
１３，１３                    調整板
１４，１４                    取付具
１５，１５                    掛止部
【図１】
2015209750.tif 000003
【図２】
2015209750.tif 000004
【図３】
2015209750.tif 000005